(57)【要約】      （修正有）【課題】あぶり焼きの効率を向上でき、安全で便利な料理をすることができる直立式ツイン省エネ多面焼自動木炭無煙ロースタを提供する。【解決手段】直立式炉体１と、炉体フレーム２と、駆動装置とを備える。直立式炉体の焼き網３は角度が上向きのブラインドであり、炉体フレームはツイン炉体フレームであり、底部にはリチウムバッテリの電源ボックスが設けられ、中央部には電動制御ボックスと垂直に駆動ボックスが設けられ、前後の焼き面側には強化ガラス４が垂直に設けられ、両側最上面には横向きにＬＥＤランプ５が設けられている。駆動装置は駆動ボックス内に設けられ、ＬＥＤランプおよび駆動装置はいずれもリード線を介してリチウムバッテリに接続されている。【選択図】図１
0003200945.tif 000002
【実用新案登録請求の範囲】
【請求項１】
直立式炉体（１）と、炉体フレーム（２）と、駆動機構とを備えた直立式ツイン省エネ多面焼自動木炭無煙ロースタであって、前記直立式炉体（１）の焼き網（３）は角度が上向きのブラインドであり、前記炉体フレーム（２）はツイン炉体フレームであり、その底部にはリチウムバッテリの電源ボックスが設けられており、その中央部には前記電動制御ボックスと垂直となる駆動ボックスが設けられており、その前後の焼き面側には強化ガラス（４）が垂直に設けられており、その両側最上面には横向きにＬＥＤランプ（５）が設けられており、前記駆動装置は前記駆動ボックス内に設けられており、前記ＬＥＤランプ（５）および駆動装置はいずれもリード線を介してリチウムバッテリに接続されている、ことを特徴とする直立式ツイン省エネ多面焼自動木炭無煙ロースタ。
【請求項２】
前記駆動装置は鋼板（６）と、前記鋼板両側に設けられ直立して配列されているボールベアリング孔（７）と、前記ベアリング孔内に設けられているボールベアリング（８）と、前記ボールベアリング孔内に水平に挿入されている中空軸受パイプ（９）とを備えており、前記中空軸受パイプ（９）にはギヤ（１０ａ）が更に溶接されており、前記ギヤ（１０ａ）にはＳ字状に配されて噛合する駆動チェーン（１１）が設けられている、ことを特徴とする請求項１に記載の直立式ツイン省エネ多面焼自動木炭無煙ロースタ。
【請求項３】
前記中空軸受パイプ（９）の外面の中心表面には突起（９ａ）が設けられており、その両端表面にて前記突起とは逆方向に、中空軸受パイプ（９）の一方側の外壁を貫通する二つの柱状孔（９ｂ）が設けられており、前記柱状孔（９ｂ）内には内から外に順次ボール（９ｃ）とスプリング（９ｄ）とが収納されており、前記中空軸受パイプ（９）の両端外側には環状の固定リング（９ｆ）が装着されている、ことを特徴とする請求項２に記載の直立式ツイン省エネ多面焼自動木炭無煙ロースタ。
【請求項４】
前記鋼板（６）の最底部の二つのボールベアリング孔（７）内にはモータギヤ（１０ｂ）と、駆動チェーンのテンションを調節する調節ギヤ（１０ｃ）とが設けられており、前記モータは前記鋼板（６）の一方側または鋼板（６）の他方側に設けられており、前記調節ギヤ（１０ｃ）は前記鋼板（６）の一方側のボールベアリング孔（７）内に設けられるか、または鋼板（６）の底部中心に固定されている、ことを特徴とする請求項３に記載の直立式ツイン省エネ多面焼自動木炭無煙ロースタ。
【請求項５】
前記炉体フレーム（２）の底部には四つのスタンド（１２）が設けられており、前記スタンド（１２）の底部にはターンテーブル（１３）が取付けられている、ことを特徴とする請求項１に記載の直立式ツイン省エネ多面焼自動木炭無煙ロースタ。
【請求項６】
前記直立式炉体（１）が炉体フレーム（２）上端または両側の入口を介して収容される、ことを特徴とする請求項１に記載の直立式ツイン省エネ多面焼自動木炭無煙ロースタ。
【請求項７】
前記直立式炉体（１）の最上部には長方形金具（１３）が更に溶接されており、前記長方形金具（１３）内には直立式ロースタを取出および収納するためのてこレバーが更に設けられている、ことを特徴とする請求項６に記載の直立式ツイン省エネ多面焼自動木炭無煙ロースタ。
【請求項８】
前記炉体フレーム（２）の側面には、リチウムバッテリに接続される充電プラグと、制御ＬＥＤランプと、駆動装置電源を接断するスイッチとを備えている、ことを特徴とする請求項１に記載の直立式ツイン省エネ多面焼自動木炭無煙ロースタ。
【考案の詳細な説明】
【技術分野】
【０００１】
この実用新案はロースタに関し、特に、直立式ツイン省エネ多面焼自動木炭無煙ロースタに関するものである。
【背景技術】
【０００２】
あぶり焼きは人類最古の調理技法である。食材を熱源の上方に置いて、加熱空気や加熱された燃料を熱媒として、食材を加熱する。この方法で作る食べ物は独特な風味があって大人気である。
【０００３】
中国特許第２０１４２０３８７３１８．５号の直立式ツイン省エネ多面焼自動木炭無煙ロースタは燃焼面積を増加するため直立式、多面焼に設けられている；食材を均一に加熱するために炉体フレームの両側の二重の内に駆動チェーンが設けられている；落ちた脂による煙が避けるために、落ちた脂が乗るボックスが設けられている。
【０００４】
この出願は前記特許に基づいて、駆動装置とあぶり焼きの効率性、安全性と実用性などを改善して効率と設備の合理化と安全性が向上することになる。
【考案の概要】
【考案が解決しようとする課題】
【０００５】
この実用新案は前記特許を中心に直立式ツイン省エネ多面焼自動木炭無煙ロースタを開発した。中国特許第２０１４２０３８７３１８．５号の直立式ツイン省エネ多面焼自動木炭無煙ロースタを中心に駆動装置とあぶり焼きの効率性、安全性と実用性などを改善して効率と設備の合理化と安全性が向上することになる。
【課題を解決するための手段】
【０００６】
以上の目標を実現するため以下の方案を採用する：  直立式炉体と炉体フレームと駆動機構とを備えた直立式ツイン省エネ多面焼自動木炭無煙ロースタであって、前記直立式炉体の焼き網は角度が上向きのブラインドであり、前記炉体フレームはツイン炉体フレームであり、その底部にはリチウムバッテリの電源ボックスが設けられており、その中央部には前記電動制御ボックスと垂直となる駆動ボックスが設けられており、その前後の焼き面側には強化ガラスが垂直に設けられており、その両側最上面には横向きにＬＥＤランプが設けられており、前記駆動装置は前記駆動ボックス内に設けられており、前記ＬＥＤランプおよび駆動装置はいずれもリード線を介してリチウムバッテリに接続されている、ことを特徴とする直立式ツイン省エネ多面焼自動木炭無煙ロースタ。
【０００７】
最良の実施形態は、前記駆動装置は鋼板と前記鋼板両側に設けられ直立して配列されているボールベアリング孔と前記ベアリング孔内に設けられているボールベアリングと前記ボールベアリング孔内に水平に挿入されている中空軸受パイプとを備えており、前記中空軸受パイプにはギヤが更に溶接されており、前記ギヤにはＳ字状に配されて噛合する駆動チェーンが設けられている。
【０００８】
最良の実施形態は、前記中空軸受パイプの外面の中心表面には突起が設けられており、その両端表面にて前記突起とは逆方向に、中空軸受パイプの一方側の外壁を貫通する二つの柱状孔が設けられており、前記柱状孔内には内から外に順次ボールとスプリングとが収納されており、前記中空軸受パイプの両端外側には環状の固定リングが装着されている
【０００９】
最良の実施形態は、前記鋼板の最底部の二つのボールベアリング孔内にはモータギヤと、駆動チェーンのテンションを調節する調節ギヤとが設けられており、前記モータは前記鋼板の一方側または鋼板の他方側に設けられており、前記調節ギヤは前記鋼板の一方側のボールベアリング孔内に設けられるか、または鋼板の底部中心に固定されている
【００１０】
最良の実施形態は、前記炉体フレームの底部には四つのスタンドが設けられており、前記スタンドの底部にはターンテーブルが取付けられている
【００１１】
最良の実施形態は、前記直立式炉体が炉体フレーム上端または両側の入口を介して収容される
【００１２】
最良の実施形態は、前記直立式炉体の最上部には長方形金具が更に溶接されており、前記長方形金具内には直立式ロースタを取出および収納するためのてこレバーが更に設けられている
【００１３】
最良の実施形態は、前記炉体フレームの側面には、リチウムバッテリに接続される充電プラグと、制御ＬＥＤランプと、駆動装置電源を接断するスイッチとを備えている。
【考案の効果】
【００１４】
この実用新案の特徴は：
【００１５】
１、料理中に埃が落ちないように焼き網をブラインドの型に設けてられている。
【００１６】
２、炉体フレームをツイン炉体フレームに設けている。これで燃焼面積が増加した、大量の食材を同時に作ることが可能である。効率も向上することになる。
【００１７】
３、この実用新案は炉体フレームの中に駆動装置を設けている。鋼板にあるボールベアリング孔で軸受パイプを鋼板に固定する。食材は軸受パイプを回して加熱する。駆動装置を改善したので、従来の両側に駆動装置に設けてこれらが同時に駆動できないという故障を減らした。エネルギーが節約できて効果的に空間も利用できる。
【００１８】
４、この実用新案は軸受パイプで固定されている。軸受パイプの両側に対称性ボールとスプリングが詰まった柱状孔が設けている。スプリングの弾力で軸受パイプを挿入する串を固定することになる。異なる種類の串の固定に適合する。例えば：竹串、木串、金串などである。
【００１９】
５、この実用新案は焼き網の前に強化ガラスが設けられるので使用者の安全を守ることができる。食材の破裂などの安全問題が避けられる。炉体フレームの最上面には横向きにＬＥＤランプが設けられており、暗い環境でも使用者が使用可能である。
【００２０】
６、この実用新案は炉体フレームの底部にはターンテーブルが取付けられている。使用者が炉体フレームを回転して、食材を取ることが便利にできる。
【００２１】
７、この実用新案はあぶり焼きの効率を向上することができる。使用者がこの実用新案で安全で便利な料理をすることができる。シンプルで実用的である。推進も容易である。
【図面の簡単な説明】
【００２２】
【図１】図１はこの実用新案の構造図である
【００２３】
【図２】図２はこの実用新案の直立式炉体の構造図である
【００２４】
【図３】図３はこの実用新案の駆動機構の構造図である
【００２５】
【図４】図４はこの実用新案の中空軸受パイプの詳細図である
【考案を実施するための形態】
【００２６】
図のように直立式炉体１と、炉体フレーム２と、駆動機構とを備えた直立式ツイン省エネ多面焼自動木炭無煙ロースタであって、前記直立式炉体１の焼き網３は角度が上向きのブラインドであり、前記炉体フレーム２はツイン炉体フレームであり、その底部にはリチウムバッテリの電源ボックスが設けられており、その中央部には前記電動制御ボックスと垂直となる駆動ボックスが設けられており、その前後の焼き面側には強化ガラス４が垂直に設けられており、その両側最上面には横向きにＬＥＤランプ５が設けられており、前記駆動装置は前記駆動ボックス内に設けられており、前記ＬＥＤランプ５および駆動装置はいずれもリード線を介してリチウムバッテリに接続されている、前記駆動装置は鋼板６と、前記鋼板両側に設けられ直立して配列されているボールベアリング孔７と、前記ベアリング孔内に設けられているボールベアリング８と、前記ボールベアリング孔内に水平に挿入されている中空軸受パイプ９とを備えており、前記中空軸受パイプ９にはギヤ１０ａが更に溶接されており、前記ギヤ１０ａにはＳ字状に配されて噛合する駆動チェーン１１が設けられている、前記中空軸受パイプ９の外面の中心表面には突起９ａが設けられており、その両端表面にて前記突起とは逆方向に、中空軸受パイプ９の一方側の外壁を貫通する二つの柱状孔９ｂが設けられており、前記柱状孔９ｂ内には内から外に順次ボール９ｃとスプリング９ｄとが収納されており、前記中空軸受パイプ９の両端外側には環状の固定リング９ｆが装着されている。前記鋼板６の最底部の二つのボールベアリング孔７内にはモータギヤ１０ｂと、駆動チェーンのテンションを調節する調節ギヤ１０ｃとが設けられており、前記モータは前記鋼板６の一方側または鋼板６の他方側に設けられており、前記調節ギヤ１０ｃは前記鋼板６の一方側のボールベアリング孔７内に設けられるか、または鋼板６の底部中心に固定されている、前記炉体フレーム２の底部には四つのスタンド１２が設けられており、前記スタンド１２の底部にはターンテーブル１３が取付けられている、前記直立式炉体１が炉体フレーム２上端または両側の入口を介して収容される、前記直立式炉体１の最上部には長方形金具１３が更に溶接されており、前記長方形金具１３内には直立式ロースタを取出および収納するためのてこレバーが更に設けられている、前記炉体フレーム２の側面には、リチウムバッテリに接続される充電プラグと、制御ＬＥＤランプと、駆動装置電源を接断するスイッチとを備えている。
【図１】
0003200945.tif 000003
【図２】
0003200945.tif 000004
【図３】
0003200945.tif 000005
【図４】
0003200945.tif 000006